(57)【要約】【課題】電池フタを薄型かつ強度ＵＰしながら、かつ電池カプラー対応をも可能にする。【解決手段】電池フタ、プレート２枚、ケーブルカバー、軸、トーションバネで構成。電池プレート１を機器本体に回転可能に軸支し、そこに電池フタと電池プレート２を摺動可能に締結する。電池プレート１と電池フタに穴を設けて外部電源ケーブルを通せる様にし、不要時に穴を塞ぐ為のケーブルカバーを電池フタに固定する。【選択図】        図１
2006210251.tif 000002
【特許請求の範囲】
【請求項１】
電池を収納する電池収納部を持つ電子機器本体に対し回転動作が可能に取付けられた第一プレートと、
該第一プレートに対し摺動動作が可能に取付けられた電池フタで構成され、
該摺動動作を行った後に該回転動作を行なう事で、該電池収納部を開口する電池フタユニットにおいて、
該電池フタの内部側に、該第一プレートを該摺動動作が可能な状態に取付け、
該一対の保持部の間に該電池フタを貫通する電池フタ穴を有し、
該一対の摺動部の間に該第一プレートを貫通するプレート穴を有すること、
を特徴とする、電池フタユニット。
【請求項２】
弾性材で形成され該電池フタ穴を閉塞するケーブルカバーを有し、
該電池フタの外表面に該ケーブルカバーが突出しない様に収容するカバー取付凹面を有すること、
を特徴とする、請求項１に記載の電池フタユニット。
【請求項３】
該カバー取付凹面に該ケーブルカバーを取付ける取付穴を有し、該取付穴周囲に座グリ面を有し、
該ケーブルカバーの取付け方法は、該ケーブルカバーに設けた先端が矢じり状の取付軸を、該取付穴に差し込んで取付ける方法であること、
を特徴とする、請求項２に記載の電池フタユニット。
【請求項４】
該第一プレートには、該摺動動作に伴ない該取付軸が摺動する範囲に、逃げ穴を有すること、
を特徴とする、請求項３に記載の電池フタユニット。
【請求項５】
該電池フタの内部側に、該第一プレートを該摺動動作が可能な状態にて保持するための一対の保持部を有し、
該一対の保持部に、該第一プレートに設けた一対の摺動部を該摺動動作が可能な状態に取付けること、
を特徴とする、請求項１〜４いずれかに記載の電池フタユニット。
【請求項６】
該電池フタに取付けられた第二プレートを該第一プレートに当接させて該電池フタの該摺動動作の範囲を制限すること、
を特徴とする、請求項１〜５いずれかに記載の電池フタユニット。
【請求項７】
該第一プレートおよび該第二プレートはプレス加工で形成され、
該第二プレートは、該第一プレートの面と直交する当接部を有し、
該当接部の剪断面と該第一プレートの剪断面にて該当接が成されること、
を特徴とする、請求項６に記載の電池フタユニット。
【請求項８】
該第二プレートは板バネ性を有し、
該第二プレートに設けたクリック凸部を、該第一プレートに設けたクリック穴に係合させて該摺動動作の端側へ付勢すること、
を特徴とする、請求項６又は７に記載の電池フタユニット。
【請求項９】
該第二プレートの該クリック凸部は、該電池フタと該第一プレートで挟まれた面にあり、該電池収納部に収納された該電池は該第二プレートと接触しないこと
を特徴とする、請求項８に記載の電池フタユニット。
【請求項１０】
該電池フタは略長方形を成し、
該摺動動作は該長方形の短辺方向に動作され、該回転動作は該長方形の略長辺を軸に該回転動作されること、
を特徴とする、請求項１〜９いずれかに記載の電池フタユニット。
【請求項１１】
該電池フタの外表面に、該摺動動作の開き方向を表示する矢印表示を有すること、
を特徴とする、請求項１〜１０いずれかに記載の電池フタユニット。
【請求項１２】
該回転動作を開き方向へ付勢する付勢バネを有すること、
を特徴とする、請求項１〜１１いずれかに記載の電池フタユニット。
【発明の詳細な説明】
【技術分野】
【０００１】
本発明は電子機器の電池収納部を開閉する電池フタユニットに関するものである。
【背景技術】
【０００２】
カメラのような小型携帯式の電子機器に電源電池を収める手法には従来より種々の発明、改善がみられる。
【０００３】
まず一例として、単三電池を用いるカメラについて、図８に従来例を示す（例えば、特許文献１参照）。これは、カメラの撮影時に撮影者が右手でカメラ本体を保持するグリップ部の胴内を空洞に成し、接触端子を設け電池収納部として機能させるものである。
【０００４】
この図８において、１０１はカメラ本体、１０１ａはグリップ部である。また１０２は電池の入口を閉塞する電池フタユニットで、電池フタをＺ方向へ摺動させ、そのまま電池フタユニット全体を９０度以上回転させて開く方式である。
【０００５】
図９にその分解状態を示す。このカメラは単三電池１０３〜１０６を本体に内蔵するタイプで、１０７はカメラ本体のフロントカバー、１０８はリアカバー、１０９は内部の電池ホルダーである。その他の内臓部材はここでは省略する。次に電池フタユニット１０２を説明すると、まず１１０は第一電極部で、単三電池１０３および１０６の電極であり、１１０ａおよび１１０ｂはその接触部である。そして、回転軸１１１を介して電池ホルダー１０９の軸受部１０９ａおよび１０９ｂに取り付けられ、回転軸１１１を中心に９０度以上可能である。次に、１１２は電池フタで、これを閉じた状態において本体の下面および側面等の外観を形成する。そして内側にガイド溝１１２ａおよび１１２ｂを有し、ここに第一電極部１１０の摺動部１１０ｃおよび１１０ｄを嵌めて結合させ、ガイド溝１１２ａおよび１１２ｂの伸びるＺ方向へ摺動できる。また１１２ｃ〜１１２ｅは係止部で、フロントカバー１０７に設けた爪部１０７ａ〜１０７ｃに係止するものである。また１１３は残り２本の単三電池１０４および１０５用の第二電極部で、ビス１１４によって電池フタ１１２に固定されている。
【０００６】
この構成により、電池フタ１１２をＺ方向へ摺動させると、第一電極部１１０は回転軸１１１を介して軸受部１０９ａに軸支されているので摺動せず、電池フタ１１２だけが摺動するので、係止部１１２ｃ〜１１２ｅが爪部１０７ａ〜１０７ｃから外れた状態になる。そのまま回転軸１１１を中心に電池フタユニット１０２を回転させると、第１電極部１１０と電池フタ１１２が一体となって回転し、単三電池１０３〜１０６の挿脱が可能となる。
【０００７】
次に、単三電池に代えて充電式の専用電池を用いるカメラを図１０、図１１にて説明する（例えば、特許文献２参照）。このタイプは、電池の大きさや形状をカメラに合わせて最適化できるので、汎用タイプの単三電池よりもカメラのサイズをよりコンパクト化するのに有利である。
【０００８】
２０１はカメラ本体、２０１ａはグリップ部である。また２０２は電池の入口を閉塞する電池フタユニットで、前記とは異なり、Ｘ方向へ摺動させてから電池フタユニット２０２全体を図１１の様に９０度以上回転させて開く方式で、開くと、中に充電式の電池２０３、または外部電源と接続する電池カプラー２０４を入れることができる。
【０００９】
図１２に分解状態を示す。２０５はカメラ本体２０１のフロントカバー、２０６はリアカバー、２０７は電池ホルダーである。その他の内臓部材はここでは省略する。次に電池フタユニット２０２を説明すると、２０８は電池フタで、モールド材で形成され、回転軸２０８ａおよび２０８ｂが一体的に形成されている。この回転軸２０８ａおよび２０８ｂを電池ホルダー２０７の軸受部２０７ａおよび２０７ｂに取り付ける。ここで軸受部２０７ａおよび２０７ｂは長円形の穴を成しているので、電池フタ２０８をＸ方向に摺動することができる。
【００１０】
このカメラは、充電式の電池２０３の他に、外部電源と接続する電池カプラー２０４も使用可能であり、図１３の様に電池カプラー２０４を入れて電池フタ２０８を閉じ、ケーブルカバー２０９を開くと、ケーブル端子２０４ａに外部電源ケーブル２１０を接続して外部から電源を供給できる。
【特許文献１】特開２００４−２４７２１８号公報（第二頁、図８）
【特許文献２】特開２００１−３１３８５４号公報（第四頁、図１）
【発明の開示】
【発明が解決しようとする課題】
【００１１】
特許文献２の方式は、外部電源に対応可能である点が有利である。しかし電池フタ２０８がモールド材で形成されているため強度が弱く、特に回転軸２０８ａは充分な太さを確保しないと折れてしまう。また電池フタ２０８をＸ方向に摺動するためその分のスペースも必要であり、結果的に軸受部２０７ａの周囲が大きくえぐられてしまい、カメラのコンパクト化を図るには不利である。さらに、Ｘ方向に摺動するためカメラ右側面の稜線を削ることが不可能で四角ばったカメラ形状となってしまい、デザイン上の制約が大きい。
【００１２】
したがって、よりコンパクトな製品を開発するには、特許文献１の様に、軸を金属化したり軸位置が摺動しない方式にして電池フタ機構に要するスペースを根本的に削減する必要がある。しかし単純に特許文献１方式を小型化しただけでは、電池カプラー２０４が使用不可となるため、カメラ本体に別途端子を設けるなど、新たな負荷が生じてしまう。
【００１３】
本発明はこの様な状況を背景に、よりスペースが少なく強度も充分確保しながら、外部電源にも対応可能な電池フタユニットを開発すべく取組んだものである。
【課題を解決するための手段】
【００１４】
上記の課題を解決するために、本出願における第１の発明では、
電池を収納する電池収納部を持つ電子機器本体に対し回転動作が可能に取付けられた第一プレートと、
該第一プレートに対し摺動動作が可能に取付けられた電池フタで構成され、
該摺動動作を行った後に該回転動作を行なう事で、該電池収納部を開口する電池フタユニットにおいて、
該電池フタの内部側に、該第一プレートを該摺動動作が可能な状態に取付け、
該一対の保持部の間に該電池フタを貫通する電池フタ穴を有し、
該一対の摺動部の間に該第一プレートを貫通するプレート穴を有すること、
を特徴とする。
【００１５】
さらに本出願における第２の発明では、第１の発明に加えて、
弾性材で形成され該電池フタ穴を閉塞するケーブルカバーを有し、
該電池フタの外表面に該ケーブルカバーが突出しない様に収容するカバー取付凹面を有すること、
を特徴とする。
【００１６】
さらに本出願における第３の発明では、第２の発明に加えて、
該カバー取付凹面に該ケーブルカバーを取付ける取付穴を有し、該取付穴周囲に座グリ面を有し、
該ケーブルカバーの取付け方法は、該ケーブルカバーに設けた先端が矢じり状の取付軸を、該取付穴に差し込んで取付ける方法であること、
を特徴とする。
【００１７】
さらに本出願における第４の発明では、第３の発明に加えて、
該第一プレートには、該摺動動作に伴ない該取付軸が摺動する範囲に、逃げ穴を有すること、
を特徴とする。
【００１８】
さらに本出願における第５の発明では、第１〜４いずれかの発明に加えて、
該電池フタの内部側に、該第一プレートを該摺動動作が可能な状態にて保持するための一対の保持部を有し、
該一対の保持部に、該第一プレートに設けた一対の摺動部を該摺動動作が可能な状態に取付けること、
を特徴とする。
【００１９】
さらに本出願における第６の発明では、第１〜５いずれかの発明に加えて、
該電池フタに取付けられた第二プレートを該第一プレートに当接させて該電池フタの該摺動動作の範囲を制限すること、
を特徴とする。
【００２０】
さらに本出願における第７の発明では、第６の発明に加えて、
該第一プレートおよび該第二プレートはプレス加工で形成され、
該第二プレートは、該第一プレートの面と直交する当接部を有し、
該当接部の剪断面と該第一プレートの剪断面にて該当接が成されること、
を特徴とする。
【００２１】
さらに本出願における第８の発明では、第６又は７の発明に加えて、
該第二プレートは板バネ性を有し、
該第二プレートに設けたクリック凸部を、該第一プレートに設けたクリック穴に係合させて該摺動動作の端側へ付勢すること、
を特徴とする。
【００２２】
さらに本出願における第９の発明では、第８の発明に加えて、
該第二プレートの該クリック凸部は、該電池フタと該第一プレートで挟まれた面にあり、該電池収納部に収納された該電池は該第二プレートと接触しないこと
を特徴とする。
【００２３】
さらに本出願における第１０の発明では、第１〜９いずれかの発明に加えて、
該電池フタは略長方形を成し、
該摺動動作は該長方形の短辺方向に動作され、該回転動作は該長方形の略長辺を軸に該回転動作されること、
を特徴とする。
【００２４】
さらに本出願における第１１の発明では、第１〜１０いずれかの発明に加えて、
該電池フタの外表面に、該摺動動作の開き方向を表示する矢印表示を有すること。
を特徴とする。
【００２５】
さらに本出願における第１２の発明では、第１〜１１いずれかの発明に加えて、
該回転動作を開き方向へ付勢する付勢バネを有すること。
を特徴とする。
【発明の効果】
【００２６】
本出願における第一の発明では、電池収納部を閉塞する電池フタユニットを、モールド製の電池フタおよび金属製の第一プレートで構成したので外観性と強度が確保でき、かつ電池フタおよび第一プレートに穴を設けたので電池カプラーを電池収納部に挿入した状態でケーブル端子に外部電源ケーブルを接続することが可能である。
【００２７】
さらに本出願における第二の発明では、電池フタ外表面のカバー取付凹面にケーブルカバーを設け電池フタ穴を閉じる様にしたので、穴が不要な時にはゴミや異物の進入を防ぎ外観を美麗に保つことができ、必要時には速やかに穴を開いて外部電源ケーブルを接続することができる。
【００２８】
さらに本出願における第３の発明では、ケーブルカバーの取付軸先端が矢じり状なので取付穴に差し込みやすく、かつ、取付穴周囲の座グリ面のへこみ量がある分よけいに押し込めるので、取付軸の矢じり先端を確実に取付穴に貫通させることができる。
【００２９】
さらに本出願における第４の発明では、第一プレートに取付軸用の逃げ穴を有するので、ケーブルカバーを設けても、第一プレートをスムーズに摺動動作することができる。
【００３０】
さらに本出願における第５の発明では、電池フタの内側に設けた保持部に第一プレートの摺動部を直接結合するので、電池フタと第一プレートとを、他の部材を要することなく摺動可能な状態で確実に結合することができる。
【００３１】
さらに本出願における第６の発明では、第二プレートが第一プレートに当たって摺動範囲を規制するので、電池フタの摺動範囲が確実に規制できる。
【００３２】
さらに本出願における第７の発明では、第二プレートの剪断面が第一プレートと直交する様に曲げてあるため、第一プレートが揺動しても剪断面同士が外れることなく確実に当接できる。
【００３３】
さらに本出願における第８の発明では、電池フタの摺動動作にクリック感が得られるので、電池フタを確実に開閉動作させることができる。
【００３４】
さらに本出願における第９の発明では、第二プレートが電池に接触しないので、電池フタ開閉動作を行なっても、電池が第二プレートで擦れて傷を生じることがない。
【００３５】
さらに本出願における第１０の発明では、電池フタは略長方形の短辺方向に摺動動作し、長辺を軸に該回転動作するので、略直方体形状の電子機器にこの電池フタを設けた場合に、稜線形状をより自由にデザインすることができる。
【００３６】
さらに本出願における第１１の発明では、電池フタの外表面に矢印表示があるので、電池フタを摺動させる方向がわかりやすい。
【００３７】
さらに本出願における第１２の発明では、回転方向へ付勢バネがあるので、電池フタを開いた状態で維持でき、電池の交換がやりやすい。
【発明を実施するための最良の形態】
【００３８】
以下本発明を実施するための最良の形態を、実施例により詳しく説明する。
【実施例１】
【００３９】
図１に、本発明の実施例による電子機器（カメラ）の外観図を示す。
【００４０】
１はカメラ本体、１ａはグリップ部である。また２は電池の入口を閉塞する電池フタユニットで、図２の様にカメラ本体１の下面方向から見ると、略長方形を成しており、電池フタ３を長方形の短辺方向（Ｚ方向）に摺動させてから放すと、長方形の略長辺を軸にバネ力で回転して開く方式である。すなわち、従来例の様にＸ方向へ摺動しないので、電池フタ３とカメラ本体１との境界線Ａ部をＸ方向へ直線に形成する必要が無く、カメラ本体１の稜線付近を曲線状に絞った様に形成することが可能で、カメラ形状をより自由にデザインすることができる。また、電池フタ３の表面には電池フタの摺動方向を示す矢印３ａが刻印されており、電池フタ３を摺動させる方向がわかりやすい。
【００４１】
また、図３にて、４は充電式の電池、５は外部電源用の電池カプラー、６は外部電源ケーブルで、これは従来例と同様のものである。カメラ本体１に電池４および電池カプラー５を収納するには、図３の様に電池フタ３を開く。すると内部には図４の様に電池４および電池カプラー５に接続するための電池接片７、８が設けられている。また９は排出バネで、収納された電池４を外部へ排出する為のものである。
【００４２】
また、１０は電池ロックである。これは電池フタ３を開いたとき、電池４および電池カプラー５が排出バネ９に押されて不用意に飛び出さない様にするために設けてある。この電池ロック１０は電池４および電池カプラー５の収納途中は退避するが、収納が完了すると電池４および電池カプラー５に掛かって保持する。この状態で電池フタ３を閉じると収納が完了する。
【００４３】
次に、図５にカメラ本体１の分解状態を示す。１１はフロントカバー、１２はリアカバー、１３は端子ホルダー、１４はシャーシ、１５は第二シャーシ、１６は電池収納口、１７は三脚座である。
【００４４】
また、電池フタユニット２の分解図を図６に示す。図７はそれを裏面側から見た図である。１８は第一プレートで、ステンレス板をプレス加工して形成され、軸受部１８ａ、１８ｂに回転軸１９を貫通させてシャーシ１４の軸受１４ａおよび三脚座１７の軸受１７ａに取り付けられる。また２０は回転バネで、回転軸１９に貫通して取り付けられ、第一プレート１８を常に閉じた状態から開いた状態へ回転する様に付勢している。このため電池フタ３を開いた状態で維持でき、電池４および電池カプラー５の交換がやりやすい。
【００４５】
また、電池フタ３は内側に一対の保持部３ｂ、３ｃを有し、ここに第一プレート１８に設けた一対の摺動部１８ｃ、１８ｄを嵌めて摺動動作が可能な状態に取付ける。これは、他の部材を使用せず電池フタ３に第一プレート１８を直接結合するので、精度よく確実に結合することができる。またこの様に電池フタユニット２を、モールド製の電池フタ３およびステンレス製の第一プレート１８で構成したので、外観側はモールド材による自由なデザイン形状が可能で、強度的にはステンレス材による充分な強度が確保できる。
【００４６】
また、３ｄ、３ｅは係止部で、電池収納口１６に設けた爪部１６ａ、および三脚座１７に設けた爪部１７ｂに係止するものである。
【００４７】
次に２１は第二プレートで、第一プレートより薄い板バネ材をプレス加工して形成されており、電池フタ３にビス２２、２３にて締結され、電池フタ３と一体的にＺ方向に摺動して、当接部２１ａ、２１ｂを第一プレート１８の剪断面１８ｅ、１８ｆに当接させて電池フタ３の摺動動作の範囲を制限する。このため電池フタ３の摺動範囲が確実に規制できる。また、当接部２１ａ、２１ｂは第一プレート１８と剪断面が直交する様に曲げてあるため、第一プレート１８が揺動しても剪断面同士が外れることなく確実に当接できる。また、第二プレート２１にはクリック凸部２１ｃが設けられ、これを第一プレート１８に設けたクリック穴１８ｇに係合させることで摺動動作時にクリック感が得られる様になっており、電池フタ３を確実に開閉動作させることができる。
【００４８】
なお、該第二プレート２１のクリック凸部２１ｃは、電池フタ３と該第一プレート１８で挟まれた面にあり、収納された電池４および電池カプラー５は第二プレートと接触しない。したがって電池フタ３の開閉動作を行なっても、電池４および電池カプラー５が第二プレート２１で擦れて傷を生じることがない。
【００４９】
次に、２４はケーブルカバーである。このカメラは、充電式の電池４の他に、外部電源と接続する電池カプラー５も使用可能であり、電池フタ３を閉じた状態においてこのケーブルカバー２４を開くとケーブル端子５ａに外部電源ケーブル６を接続でき、不要な時にはケーブルカバー２４を閉じてゴミや異物の進入を防ぐことができる。このケーブルカバー２４は柔軟性のあるゴム状態の樹脂材で形成されており、先端が矢じり状の取付軸２４ａを有し、これを電池フタ３の取付穴３ｆに押し込んで取り付ける。このとき、ケーブルカバー２４の取付軸２４ａは先端が矢じり状なので取付穴３ｆに差し込みやすい。また、取付穴３ｆの周囲には座グリ面３ｇが設けてあり、、そのへこみ量がある分よけいに押し込めるので、取付軸２４ａの矢じり先端を確実に取付穴３ｆに貫通させることができる。そして取り付け完了時には、電池フタ３の外表面に設けたカバー取付凹面３ｈにケーブルカバー２４がすっぽり収まり、外観を美麗に保つことができる。
【００５０】
また、３ｉは電池フタ３に設けた電池フタ穴、１８ｈは第一プレート１８に設けたプレート穴である。これらは電池カプラー５を収納して電池フタ３を閉じた状態にて、電池カプラー５に設けたケーブル端子５ａに合致する様になっている。したがって、この状態でケーブルカバー２４を開けば、ケーブル端子５ａに外部電源ケーブルｘ６を接続することが可能である。
【００５１】
また、第一プレート１８には、取付穴３ｆから突出した取付軸２４ａとの干渉を避けるため、逃げ穴１８ｉが開けられている。この逃げ穴１８ｉは、電池フタ３の摺動に伴ない移動する取付軸２４ａに第一プレート１８が当たらない様、Ｚ方向に延長した長円形状を成しているため、スムーズに摺動動作することができる。
【図面の簡単な説明】
【００５２】
【図１】本発明による電子機器の外観図
【図２】本発明による電子機器の下面図
【図３】本発明による電子機器の外観図（電池蓋を開いた状態）
【図４】本発明による電子機器の下面図（電池蓋を開いた状態）
【図５】本発明による電子機器の分解図
【図６】本発明による電池フタユニットの分解図
【図７】本発明による電池フタユニットの分解図（裏面）
【図８】従来例による電子機器の外観図
【図９】従来例による電子機器の分解図
【図１０】従来例による電子機器の外観図
【図１１】従来例による電子機器の外観図
【図１２】従来例による電子機器の外観図（電池蓋を開いた状態）
【図１３】従来例による電子機器の分解図
【図１４】従来例による電子機器の外観図（電池蓋を閉じた状態）
【符号の説明】
【００５３】
１      カメラ本体
１ａ    グリップ部
２      電池フタユニット
３      電池フタ
３ａ    矢印
３ｂ、３ｃ    保持部
３ｄ、３ｅ    係止部
３ｆ    取付穴
３ｇ    座グリ面
３ｈ    カバー取付凹面
３ｉ    電池フタ穴
４      電池
５      電池カプラー
５ａ    ケーブル端子
６      外部電源ケーブル
７、８    電池接片
９      排出バネ
１０      電池ロック
１１      フロントカバー
１２      リアカバー
１３      電池ホルダー
１４      シャーシ
１４ａ    軸受
１５      第二シャーシ
１６      電池収納口
１６ａ    爪部
１７      三脚座
１７ａ    軸受
１７ｂ    爪部
１８      第一プレート
１８ａ、１８ｂ    軸受部
１８ｃ、１８ｄ    摺動部
１８ｅ、１８ｆ    剪断面
１８ｇ    クリック穴
１８ｈ    プレート穴
１８ｉ    逃げ穴
１９      回転軸
２０      回転バネ
２１      第二プレート
２１ａ、２１ｂ    当接部
２１ｃ    クリック凸部
２２、２３    ビス
２４      ケーブルカバー
２４ａ    取付軸
１０１    カメラ本体
１０１ａ  グリップ部
１０２    電池フタユニット
１０３〜１０６    単三電池
１０７    フロントカバー
１０７ａ〜１０７ｃ    爪部
１０８    リアカバー
１０９    電池ホルダー
１０９ａ  軸受部
１１０    第一電極部
１１０ａ、１１０ｂ    接触部
１１０ｃ、１１０ｄ    摺動部
１１１    回転軸
１１２    電池フタ
１１２ａ、１１２ｂ    ガイド溝
１１２ｃ〜１１２ｅ    係止部
１１３    第二電極部
１１４    ビス
２０１    カメラ本体
２０１ａ  グリップ部
２０２    電池フタユニット
２０３    電池
２０４    電池カプラー
２０４ａ  ケーブル端子
２０５    フロントカバー
２０６    リアカバー
２０７    電池ホルダー
２０７ａ  軸受部
２０８    電池フタ
２０８ａ  回転軸
２０９    ケーブルカバー
２１０    外部電源ケーブル
【図１】
2006210251.tif 000003
【図２】
2006210251.tif 000004
【図３】
2006210251.tif 000005
【図４】
2006210251.tif 000006
【図５】
2006210251.tif 000007
【図６】
2006210251.tif 000008
【図７】
2006210251.tif 000009
【図８】
2006210251.tif 000010
【図９】
2006210251.tif 000011
【図１０】
2006210251.tif 000012
【図１１】
2006210251.tif 000013
【図１２】
2006210251.tif 000014
【図１３】
2006210251.tif 000015
【図１４】
2006210251.tif 000016